(57)【要約】【課題】扉を閉鎖位置まで戻した際にラッチ部材や係止ロッドが扉枠の上枠に衝突して破損するのを防止することができるようにしたトリガー装置を提供することである。【解決手段】扉３の上部に埋設されたケース３１内に昇降可能なラッチ部材３７と、そのラッチ部材３７の昇降動に連動して揺動するロックレバー４３とを設ける。扉３の開放状態で、弾性部材４５により、ラッチ部材３７を下降動させて、先端部をラッチ挿入孔４０内に没入させ、そのラッチ部材３７の下降動に連動してロックレバー４３を、そのロックレバー４３に設けたストッパ片４７がグレモン錠１０の上部係止ロッド１４の先端面と上下で対向する位置まで揺動させて、上部係止ロッド１４の上昇動を阻止し、扉３を閉鎖位置まで回動させた際に、ラッチ部材３７や上部係止ロッド１４の先端部が扉枠１の上枠１ｂに衝突するのを防止する。【選択図】図２
2012149437.tif 000002
【特許請求の範囲】
【請求項１】
開口枠の内側開口を開閉する開閉体の内部に組み込まれて前記開口枠の内周に設けられたストライク孔に向けて進退可能なロック部材が、開閉体の開放状態でストライク孔に向けて前進動するのを阻止し、開閉体の閉鎖状態でストライク孔に向けての前進動を可能とするトリガー装置において、
前記ストライク孔と対向するようにして前記扉の外周に埋設され、そのストライク孔と対向する外側プレートおよびその外側プレートに対向配置された内側プレートのそれぞれにロック部材の先端部が挿通可能な挿入孔が形成されたケースと、そのケース内に組み込まれ、前記開閉体の閉鎖によって開口枠に取り付けられたマグネットと対向した際に、磁気吸引力によりマグネットに向けて前進動するラッチ部材と、そのラッチ部材を後退動する方向に向けて付勢する弾性部材と、そのラッチ部材の前後動に連動して水平軸を中心に揺動するロックレバーとからなり、前記ロックレバーに、ラッチ部材のマグネットに向けての前進動に連動して一方向に揺動した停止状態で前記ロック部材の先端面と対向してそのロック部材の前進動を阻止し、ラッチ部材がマグネットから離反する後退動に連動して他方向に揺動した停止状態でロック部材の先端面と対向する位置から退避してロック部材の前進動を許容するストッパ片を設けたことを特徴とするトリガー装置。
【発明の詳細な説明】
【技術分野】
【０００１】
この発明は、開口枠の内側開口を開閉する開閉体の内部に組み込まれたロック部材が、開閉体の開放状態でストライク孔に向けて前進動するのを阻止し、開閉体の閉鎖状態でストライク孔に向けての前進動を許容するトリガー装置に関する。
【背景技術】
【０００２】
開閉体としての扉の施解錠用扉錠として、グレモン錠が知られている。そのグレモン錠は、扉の戸先側面に埋設される錠箱と、その錠箱に揺動自在に支持された一対のハンドルと、そのハンドルの揺動操作により昇降動される上下一対の係止ロッドを有している。
【０００３】
上記グレモン錠を採用する扉錠装置においては、開口枠としての扉枠の上枠および下枠にストライク板を取り付け、そのストライク板に形成されたストライク孔に係止ロッドの先端部を係合させて扉を施錠している。
【０００４】
ここで、扉の開放状態でハンドル操作が可能であると、そのハンドルの誤操作により、係止ロッドの先端部が扉の上面および下面から外部に突出し、その突出状態で扉が閉鎖される場合がある。
【０００５】
このとき、係止ロッドの先端部が扉枠の上枠および下枠に衝突することになり、大きな衝撃音を発生し、係止ロッドの先端部や上枠あるいは下枠を損傷させることになる。
【０００６】
そのような不都合を解消するため、グレモン錠を採用する扉錠装置においては、扉の上部と下部の少なくとも一方にトリガー装置を埋設し、そのトリガー装置によって扉の開放状態で係止ロッドがストライク孔に向けて移動するのを阻止し、グレモン錠のハンドルが操作されるのを防止するようにしている。
【０００７】
上記トリガー装置として、図７および図８に示したものが従来から知られている。このトリガー装置においては、扉３の上部に埋設されるケース５０の内部にラッチ部材５１とその一側にスライド部材５２とを組み込み、上記ラッチ部材５１を昇降自在に支持し、そのラッチ部材５１を弾性部材５３によってその上部に設けられたラッチピン５１ａがケース５０の上部プレート５４に形成されたピン孔５５から外部に露出する方向に向けて付勢し、上記スライド部材５２をラッチ部材５１に向けて移動自在に支持し、そのスライド部材５２を弾性部材５６によりラッチ部材５１に向けて付勢して、スライド部材５２に設けられた傾斜カム面５７をラッチ部材５１に設けられた傾斜カム面５８に接触させ、そのスライド部材５２にグレモン錠の係止ロッド１４が挿通可能な貫通孔５９を設けている。
【０００８】
上記のトリガー装置においては、図７に示す扉３の開放状態で、ラッチ部材５１のラッチピン５１ａをピン孔５５から外部に露出させ、貫通孔５９の周囲一部を係止ロッド１４の先端面に上下で対向させて係止ロッド１４が上昇動するのを防止している。
【０００９】
また、扉３を開放位置から閉鎖位置に向けて揺動させた時、扉枠１の上枠１ｂ下面に対するラッチピン５１ａの接触によりラッチ部材５１を下降させ、傾斜カム面５７、５８のカム作用によりスライド部材５２を後退させ、図８に示すように、貫通孔５９を係止ロッド１４の先端面に対向させて、係止ロッド１４の先端部が貫通孔５９および上部プレート５４に形成されたロッド挿入孔６０から上枠１ｂに取り付けられたストライク板６１のストライク孔６２に挿入し得るような状態としている。
【発明の概要】
【発明が解決しようとする課題】
【００１０】
ところで、上記従来のトリガー装置においては、扉３を閉鎖するその都度、ラッチピン５１ａが上枠１ｂに衝突してその上枠１ｂとの接触により押し込まれるため、上枠１ｂとの衝突によりラッチピン５１ａや上枠１ｂが損傷し易く、ドアチェックによってドアを閉鎖位置まで戻すようにしたドア装置では、そのドアチェックの回転トルクによって扉３を閉鎖させることができない場合がある。
【００１１】
この発明の課題は、ラッチ部材や扉枠等の開口枠の損傷を確実に防止することができるようにした耐久性に優れたトリガー装置を提供することである。
【課題を解決するための手段】
【００１２】
上記の課題を解決するために、この発明においては、開口枠の内側開口を開閉する開閉体の内部に組み込まれて前記開口枠の内周に設けられたストライク孔に向けて進退可能なロック部材が、開閉体の開放状態でストライク孔に向けて前進動するのを阻止し、開閉体の閉鎖状態でストライク孔に向けての前進動を可能とするトリガー装置において、前記ストライク孔と対向するようにして前記扉の外周に埋設され、そのストライク孔と対向する外側プレートおよびその外側プレートに対向配置された内側プレートのそれぞれにロック部材の先端部が挿通可能な挿入孔が形成されたケースと、そのケース内に組み込まれ、前記開閉体の閉鎖によって開口枠に取り付けられたマグネットと対向した際に、磁気吸引力によりマグネットに向けて前進動するラッチ部材と、そのラッチ部材を後退動する方向に向けて付勢する弾性部材と、そのラッチ部材の前後動に連動して水平軸を中心に揺動するロックレバーとからなり、前記ロックレバーに、ラッチ部材のマグネットに向けての前進動に連動して一方向に揺動した停止状態で前記ロック部材の先端面と対向してそのロック部材の前進動を阻止し、ラッチ部材がマグネットから離反する後退動に連動して他方向に揺動した停止状態でロック部材の先端面と対向する位置から退避してロック部材の前進動を許容するストッパ片を設けた構成を採用したのである。
【００１３】
ここで、開口枠とは、扉枠や引き戸枠、窓枠等をいい、その開口枠の内側開口を開閉する開閉体とは、開口枠が扉枠の場合では扉をいい、引き戸枠の場合では引き戸をいう。また、窓枠の場合では、内・外倒し窓、突出し窓、滑り出し窓をいう。
【００１４】
この発明に係るトリガー装置において、ロック部材は、グレモン錠に設けられた係止ロッド、引き戸錠に設けられたロッド棒、フランス落しに設けられたロッド棒、扉錠等の錠に設けられたデッドボルトをいう。
【００１５】
上記の構成からなるトリガー装置において、開閉体を閉鎖すると、ラッチ部材がマグネットと対向し、そのマグネットの磁気吸引力によりラッチ部材がマグネットに向けて前進動し、その移動に連動してロックレバーが一方向に揺動し、ストッパ片がロック部材の先端面と対向する位置から退避して、ロック部材の前進動を許容する。
【００１６】
そこで、ハンドル操作等によりロック部材を前進動させると、そのロック部材の先端部がストライク孔に係合して開閉体は施錠状態とされる。
【００１７】
開閉体の施錠状態からのハンドル操作等によりロック部材を後退動させると、ロック部材の先端部がストライク孔から抜け出して開錠状態となる。その開錠状態で開閉体を開放すると、弾性部材の復元弾性でラッチ部材が後退動し、また、ロックレバーが他方向に揺動して、ストッパ片がロック部材の先端面と対向し、ロック部材の前進動を阻止する。
【００１８】
このため、ロック部材の進退操作用のハンドルを操作することができず、ロック部材の先端部が扉の上面から突出する状態で開閉体が閉鎖されるのを防止することができ、ロック部材の先端部が開口枠に衝突して、ロック部材の先端部や開口枠が損傷するという不都合の発生を未然に防止することができる。
【００１９】
また、開閉体の開放状態において、ラッチ部材はケース内に位置する状態に保持されるため、開放状態の開閉体を閉鎖位置まで移動させても、ラッチ部材の先端部が開口枠に衝突するというようなことがない。このため、ラッチ部材や開口枠が損傷するというようなことがなく、ドアチェックによってドアを閉鎖位置まで戻すようにしたドア装置においては、そのドアチェックによってドアを閉鎖位置まで確実に戻すことができる。
【発明の効果】
【００２０】
この発明においては、上記のように、開閉体を開放状態にすると、弾性部材によりロックレバーが揺動し、ストッパ片がロック部材の先端面と対向してロック部材の前進動を阻止し、一方、ラッチ部材は後退動してケース内に収容されるため、開閉体を閉鎖状態とする操作において、ロック部材の先端部やラッチ部材の先端部が開口枠に衝突するようなことがなく、ラッチ部材や開口枠の損傷を確実に防止することができる。
【図面の簡単な説明】
【００２１】
【図１】この発明に係るトリガー装置を採用した扉錠装置の概略正面図
【図２】図１のトリガー装置の組み込み部を拡大して示す断面図
【図３】図２のIII−III線に沿った断面図
【図４】図２のIV−IV線に沿った断面図
【図５】扉の開放状態でのトリガー装置の作動状態を示す断面図
【図６】トリガー装置を構成するラッチ部材とロックレバーを示す分解斜視図
【図７】従来のトリガー装置を示す断面図
【図８】図７に示すトリガー装置の作動状態を示す断面図
【発明を実施するための形態】
【００２２】
以下、この発明の実施の形態を図面に基づいて説明する。図１は、この発明に係るトリガー装置を採用した扉錠装置を示す。図示のように、開口枠としての扉枠１の開口部２を開閉する開閉体としての扉３の戸先側にはグレモン錠１０が組み込まれている。
【００２３】
グレモン錠１０は、扉３の戸先側の側面に埋設される錠ケース１１を有し、その錠ケース１１に設けられた一対のハンドル１２が扉３の表裏に配置され、そのハンドル１２を図１に実線で示す施錠位置から鎖線で示す開錠位置まで揺動させると、錠ケース１１の側面から突出して扉枠１の縦枠１ａに取り付けられた受具４に係合しているラッチ１３が錠ケース１１内に没入して受具４に対する係合が解除し、また、錠ケース１１から上方に延びるロック部材としての上部係止ロッド１４が下降し、同時に錠ケース１１から下方に延びるロック部材としての下部係止ロッド１５が上昇して、それぞれの先端部が扉枠１の上枠１ｂおよび下枠１ｃに取り付けられたストライク板１６のストライク孔１７から抜け出して扉３を開錠する。
【００２４】
また、扉３の閉鎖状態において、ハンドル１２を開錠位置から施錠位置に揺動させると、上部係止ロッド１４が上昇し、下部係止ロッド１５が下降してそれぞれの先端部がストライク孔１７に係合し、扉３を施錠する。
【００２５】
ここで、上枠１ｂに取り付けられたストライク板１６には、図２および図３に示すように、係止ロッド１４の先端部を収容可能とするケース部１８が設けられ、そのケース部１８内に丸軸１９が設けられ、一方、上部係止ロッド１４の先端部には角軸部２０が設けられ、その角軸部２０の上部に丸軸１９に対する接触移動によって扉３を上枠１ｂの戸当たり部１ｄに引き寄せるテーパ部２１が形成されている。
【００２６】
なお、下枠１ｃに取り付けられたストライク板１６や下部係止ロッド１５についても、上枠１ｂに取り付けられたストライク板１６や上部係止ロッド１４と同様の構成が採用されている。
【００２７】
図１に示すように、扉３の上部には、扉３の開放状態で上部係止ロッド１４が上昇動する方向に移動するのを防止するトリガー装置３０が設けられている。
【００２８】
図２乃至図４に示すように、トリガー装置３０は、ケース３１を有している。ケース３１は角形をなし、積層板からなる外側プレートとしての上部プレート３２とこれに上下で対向する内側プレートとしての下部プレート３３を備えている。
【００２９】
ケース３１は、扉３の上部に埋設される。このとき、ケース３１は上部プレート３２がストライク板１６に上下で対向する取付けとされる。その上部プレート３２および下部プレート３３には上部係止ロッド１４の先端部が挿通可能なロッド挿入孔３４、３５が設けられている。
【００３０】
ケース３１の内部には、上部係止ロッド１４の先端の角軸部２０をスライド自在に支持するガイド筒３６が設けられている。また、ケース３１の内部には、上記ガイド筒３６の一側方にラッチ部材３７が組み込まれている。
【００３１】
図２および図６に示すように、ラッチ部材３７は、吸着板部３７ａの両側に下向きに延びる対向一対の板体部３７ｂを設け、一方の板体部３７ｂの下側部に他方の板体部３７ｂに向く支持片部３７ｃを設けた磁性金属板のプレス成形品からなっている。
【００３２】
図４に示すように、板体部３７ｂの両側には突片３８が設けられ、その突片３８がケース３１の側板３１ａに形成された上下方向に長いガイド孔３９内にスライド自在に挿入され、そのガイド孔３９の両端に突片３８が当接する範囲内においてラッチ部材３７が昇降自在(出没自在)とされている。
【００３３】
ラッチ部材３７は、その上部の吸着板部３７ａが上部プレート３２に形成されたラッチ挿入孔４０内に収容される位置が下降停止位置(没入位置)とされており、その下降停止位置から上昇すると、上端部がラッチ挿入孔４０に挿通して上部プレート３２の上面より上方に突出する。
【００３４】
図２に示すように、ラッチ部材３７は、扉３の閉鎖状態で、扉枠１の上枠１ｂに取り付けられたマグネット４１と上下で対向して、そのマグネット４１の磁気吸引力により上昇動し、吸着板部３７ａがマグネット４１に吸着されるようになっている。ここで、マグネット４１は、その下側の吸着面が上枠１ｂの下面より下方に位置する取り付けとされている。
【００３５】
図２に示すように、ケース３１内には、ラッチ部材３７とガイド筒３６間にピン４２が設けられている。ピン４２はケース３１の側板３１ａにより両端部が支持されて水平の配置とされ、そのピン４２を中心にしてロックレバー４３が揺動自在に支持されている。
【００３６】
図２および図６に示すように、ロックレバー４３は、ロックプレート４３ａの両側に対向一対のレバー片部４３ｂを設けた構成とされ、そのレバー片部４３ｂの一端部がピン４２で支持されている。
【００３７】
ロックレバー４３は、ラッチ部材３７の上下動に連動してピン４２を中心に揺動するようになっている。ラッチ部材３７の昇降動に連動してロックレバー４３を揺動させるため、ここでは、一対のレバー片部４３ｂのうち、一方のレバー片部４３ｂの揺動中心側の端部に連動片部４４を連設し、その連動片部４４をラッチ部材３７の支持片部３７ｃの上面で受け、ピン４２に支持されたキックばねからなる弾性部材４５により連動片部４４が支持片部３７ｃを押し下げる方向にロックレバー４３を付勢し、同時にラッチ部材３７を下降動する方向に付勢している。
【００３８】
ここで、ラッチ部材３７の下降動に連動してロックレバー４３が反時計方向に揺動すると、図５に示すように、ロックレバー４３の揺動側端部が上部プレート３２に形成されたロッド挿入孔３４の周囲部に当接し、その当接によって、ロックレバー４３の揺動量およびラッチ部材３７の下降量が制限されるようになっている。
【００３９】
図２に示すように、ロックレバー４３のロックプレート４３ａには、上部係止ロッド１４の角軸部２０が挿通可能な開口４６が形成され、その開口４６から揺動側端に位置するロックプレート４３ａの揺動側端部がストッパ片４７とされている。
【００４０】
ストッパ片４７は、ラッチ部材３７の上昇動に連動してロックレバー４３が一方向（図２の反時計方向）に揺動した停止状態で上部係止ロッド１４の先端面上に臨んで、その上部係止ロッド１４の上昇動を阻止し、また、ラッチ部材３７の下降動に連動してロックレバー４３が他方向（図２の時計方向）に揺動した停止状態で上部係止ロッド１４の先端面上から退避して上部係止ロッド１４の上昇動を許容するようになっている。
【００４１】
実施の形態で示す扉錠装置は上記の構造からなり、図５は扉３の開放状態を示し、ラッチ部材３７は弾性部材４５により付勢されて下降位置に配置されており、ラッチ部材３７の上部はラッチ挿入孔４０に収容された状態にある。また、ロックレバー４３は、その揺動側端部が上部プレート３２のロッド挿入孔３４の周囲部に当接して停止状態にあり、ストッパ片４７が上部係止ロッド１４の先端面と上下で対向している。
【００４２】
このため、上部係止ロッド１４はストッパ片４７により上昇動するのが阻止され、図１に示すグレモン錠１０のハンドル１２を操作することはできない。
【００４３】
このように、扉３の開放状態では、ラッチ部材３７の上部、および、上部係止ロッド１４の上部はそれぞれケース３０内に配置される状態にあるため、扉３を閉鎖位置まで揺動させても、ラッチ部材３７および上部係止ロッド１４のそれぞれ上部が上枠１ｂに当接して損傷するようなことはない。
【００４４】
扉３を閉鎖位置まで揺動させると、ラッチ部材３７がマグネット４１と上下で対向し、そのマグネット４１の磁気吸引力によりラッチ部材３７が上昇して、図２に示すように、吸着板部３７ａがマグネット４１に吸着される。
【００４５】
また、ラッチ部材３７の上昇動に連動してロックレバー４３が時計方向に揺動し、開口４６が上部係止ロッド１４の先端面と上下で対向してストッパ片４７が上部係止ロッド１４の先端面上から退避し、上部係止ロッド１４の上昇動を許容する状態となる。
【００４６】
そこで、図１に示すグレモン錠１０のハンドル１２を同図の鎖線で示す開錠位置から実線で示す施錠位置に揺動させると、上部係止ロッド１４が上昇して、図２に示すように、先端の角軸部２０がストライク孔１７からケース部１８内に進入して丸軸１９に係合し、扉３が施錠される。
【００４７】
また、扉３の施錠状態において、図１に示すハンドル１２を施錠位置から開錠位置に向けて揺動すると、上部係止ロッド１４が下降して、先端部がストライク孔１７およびロックレバー４３の開口４６から抜け出し、扉３は開錠状態とされる。
【００４８】
このとき、上部係止ロッド１４は、その先端面がロックレバー４３の下面より下方に位置する状態で停止保持される。
【００４９】
扉３の開錠状態で、その扉３を開放方向に揺動させると、ラッチ部材３７の吸着板部３７ａがマグネット４１の吸着面に沿って移動し、その吸着面から外れる位置まで扉３を開放すると、弾性部材４５の復元弾性でラッチ部材３７が下降し、その下降動に連動してロックレバー４３がピン４２を中心にして、図２の反時計方向に揺動し、図５に示すように、ストッパ片４７が上部係止ロッド１４の先端面と上下で対向して上部係止ロッド１４の上昇動を阻止する。
【００５０】
このため、前述のように、グレモン錠１０のハンドル１２を操作させることができず、上部係止ロッド１４の先端部が扉３の上面から突出する状態で扉３が閉鎖されるのを防止することができ、係止ロッド１４の先端部が扉枠１の上枠１ｂに衝突して、係止ロッド１４の先端部や扉枠１が損傷するという不都合の発生はない。
【００５１】
また、弾性部材４５の弾性力によって下降動されるラッチ部材３７は、その先端部がラッチ挿入孔４０内に没入する位置まで下降して、没入状態に保持されるため、開放状態の扉３を閉鎖位置まで回動しても、ラッチ部材３７の先端部が上枠１ｂに衝突するというようなことがなく、ラッチ部材３７の損傷も防止することができる。
【００５２】
実施の形態においては、開口枠として扉枠１を示し、開閉体として扉３を示したが、開口枠および開閉体はこれに限定されるものではない。例えば、開口枠は、引き戸枠や窓枠であってもよい。開口枠が引き戸枠の場合、その引き戸枠の開口を開閉する引き戸を開閉体と言い、また、窓枠の場合では、内・外倒し窓、突出し窓、滑り出し窓を開閉体と言う。
【００５３】
また、実施の形態では、ロック部材としてグレモン錠１０に設けられた係止ロッド１４、１５を示したが、ロック部材はこれに限定されるものではない。例えば、引き戸錠に設けられたロッド棒、フランス落しに設けられたロッド棒、扉錠等の錠に設けられたデッドボルトであってもよい。
【００５４】
さらに、実施の形態では、ケース３１の上部プレート３２にラッチ挿入孔４０を形成し、そのラッチ挿入孔４０に対してラッチ部材３７の先端部を出没自在としたが、ラッチ挿入孔４０を省略し、ラッチ部材３７をケース３１内で前後動させるようにしてもよい。
【符号の説明】
【００５５】
１    扉枠(開口枠)
３    扉(開閉体)
１４  上部係止ロッド（ロック部材）
１５  下部係止ロッド（ロック部材）
１７  ストライク孔
３１  ケース
３２  上部プレート(外側プレート)
３３  下部プレート(内側プレート)
３４  ロッド挿入孔(挿入孔)
３５  ロッド挿入孔(挿入孔)
３７  ラッチ部材
４１  マグネット
４２  ピン
４３  ロックレバー
４５  弾性部材
４７  ストッパ片
【図１】
2012149437.tif 000003
【図２】
2012149437.tif 000004
【図３】
2012149437.tif 000005
【図４】
2012149437.tif 000006
【図５】
2012149437.tif 000007
【図６】
2012149437.tif 000008
【図７】
2012149437.tif 000009
【図８】
2012149437.tif 000010